(57)【要約】【課題】  空調機の制御に関する項目番号を、自空調用室内機よりも少ない桁数の数値データで管理するリモートコントロール装置から、項目番号として送信された情報を適切に処理することが可能な空調用室内機および空調用室内機のデータ処理方法を提供する。【解決手段】  実施形態によれば空調用室内機は、記憶部とデータ処理部とを有する。記憶部は、項目番号ごとの現在の設定内容を示す現在設定データと、リモートコントロール装置で項目番号として入力された数値データの桁数を拡張して認識するための拡張用データとを有する。データ処理部は、リモートコントロール装置から、項目番号として入力された、拡張用データと同一のデータを取得したときには、当該拡張用データに関連して入力される設定データを、その後項目番号として入力されるデータに組み合わせて項目番号として認識する。【選択図】図２
2014145523.tif 000002
【特許請求の範囲】
【請求項１】
空調用室内機の制御に関する複数の設定項目を識別するための項目番号として、自空調用室内機で管理する数値データの桁数よりも少ない桁数の数値データで前記項目番号を管理するリモートコントロール装置に接続可能な空調用室内機において、
上位桁の数値データおよび下位桁の数値データからなる複数桁の数値データで示される項目番号と、
前記各設定項目に関する複数の設定内容を識別するための数値データで示される複数の識別用設定データと、
前記項目番号ごとに、前記複数の識別用設定データの中から、現在の設定内容を示すものとして選択されている現在設定データと、
前記項目番号の上位桁または下位桁の数値データと同一の桁数の所定の数値データで示され、前記リモートコントロール装置で項目番号として入力された数値データの桁数を拡張して認識するための拡張用データと、
を予め記憶するデータ記憶部と、
接続されたリモートコントロール装置で項目番号として入力された数値データを取得すると、当該数値データが前記拡張用データと同一であるときには、前記リモートコントロール装置で当該項目番号に関連する設定データとして入力されたことにより取得した数値データを保持し、その後、さらに前記リモートコントロール装置で項目番号として入力された数値データを取得すると、当該取得した数値データに前記保持した数値データを組み合わせることで桁数を拡張した複数桁の数値データを項目番号として認識し、前記リモートコントロール装置から送信された要求コマンドに応答して当該認識した項目番号に対応する前記現在設定データを取得または変更するデータ処理部と、
を備えることを特徴とする空調用室内機。
【請求項２】
前記データ処理部は、前記要求コマンドに含まれる情報から、前記リモートコントロール装置で項目番号として管理している数値データの桁数と、自空調用室内機で項目番号として管理している数値データの桁数とが同じであると判定したときには、前記リモートコントロール装置で項目番号として入力された数値データを項目番号として認識することを特徴とする請求項１に記載の空調用室内機。
【請求項３】
空調用室内機の制御に関する複数の設定項目を識別するための項目番号として、自空調用室内機で管理する数値データの桁数よりも少ない桁数の数値データで前記項目番号を管理するリモートコントロール装置に接続され、
空調用室内機の制御に関する複数の設定項目を識別するための数値データであり、上位桁の数値データおよび下位桁の数値データからなる複数桁の数値データで示される項目番号と、
前記各設定項目に関する複数の設定内容を識別するための数値データで示される複数の識別用設定データと、
前記項目番号ごとに、前記複数の識別用設定データの中から、現在の設定内容を示すものとして選択されている現在設定データと、
前記項目番号の上位桁の数値データと同一の桁数の所定の数値データで示され、前記リモートコントロール装置で項目番号として入力された数値データの桁数を拡張して認識するための拡張用データと、
を予め記憶する空調用室内機が、
接続されたリモートコントロール装置で項目番号として入力された数値データを取得すると、当該数値データが前記拡張用データと同一であるときには、前記リモートコントロール装置で当該項目番号に関連する設定データとして入力されたことにより取得した数値データを保持し、その後、さらに前記リモートコントロール装置で項目番号として入力された数値データを取得すると、当該取得した数値データに前記保持した数値データを組み合わせることで桁数を拡張した複数桁の数値データを項目番号として認識し、前記リモートコントロール装置から送信された要求コマンドに応答して当該認識した項目番号に対応する前記現在設定データを取得または変更する
ことを特徴とする空調用室内機のデータ処理方法。
【請求項４】
前記空調用室内機は、
前記要求コマンドに含まれる情報から、前記リモートコントロール装置で項目番号として管理している数値データの桁数と、自空調用室内機で項目番号として管理している数値データの桁数とが同じであると判定したときには、前記リモートコントロール装置で項目番号として入力された数値データを項目番号として認識する
ことを特徴とする請求項３に記載の空調用室内機のデータ処理方法。
【発明の詳細な説明】
【技術分野】
【０００１】
本発明の実施形態は、空調用室内機および空調用室内機のデータ処理方法に関する。
【背景技術】
【０００２】
従来、空調用室内機は室内の天井や高い位置に固定的に設置されており、ユーザが室内空調機の運転に関する設定値（例えば設定温度や設定風量など）を調整したいときには、当該空調用室内機に接続されたリモートコントロール装置を用いて操作を行う。
【０００３】
また、空調用室内機に接続されたリモートコントロール装置は、空調用室内機の制御に関する様々な詳細設定内容を、管理者が確認や変更をする場合にも利用される。
【０００４】
空調用室内機の制御に関する詳細設定の項目としては例えば、「空調ファンの強風量」、「設定温度補正値」など多岐にわたり、「空調ファンの強風量」の設定内容は、ユーザの操作により「強風量」が指定されたときの具体的な空調ファンの回転数であり、「設定温度補正」の設定内容は、建物の構造に対応して据付けられる空調用室内機の床上高さ等によってユーザが設定した室温を補正するための値である。
【０００５】
このように複数の設定項目に基づいて選択、設定された設定値に基づき空調用室内機の制御を行うことにより、ユーザに快適な空調を提供することができる。
【先行技術文献】
【特許文献】
【０００６】
【特許文献１】特開２００６−１７７５７１号公報
【発明の概要】
【発明が解決しようとする課題】
【０００７】
空調用室内機は、上述した、制御に関する設定項目の種類を増やすようにすれば、さらに精度の高い空調制御を行うことができる。しかし、設定項目の種類を増やすには、設定項目を識別して管理するための項目番号も増やす必要がある。
【０００８】
従来の空調用室内機およびこれに接続されたリモートコントロール装置では、上述した設定項目を識別する項目番号は２桁の数値データで管理されていたが、より設定項目数を増やして詳細な設定を行うためには２桁の数値データでは不足をきたす。
【０００９】
そこで、項目番号を示す数値データの桁数を増やし、例えば４桁にして多数種類の設定項目を設け、これに基づいて設定内容を管理する空調用室内機が製造されるようになっている。
【００１０】
一方で、空調用室内機に接続されたリモートコントロール装置には建物の壁等に埋め込まれることもあり、この場合、空調用室内機が新たなものに入れ替えられてもリモートコントロール装置は入れ替えずに、そのまま新たな空調用室内機に接続して使用されることが多い。
【００１１】
その場合、空調用室内機が４桁の項目番号に対応しているのにもかかわらず、リモートコントロール装置は古いため、２桁の項目番号にしか対応できず、互換性がなくなってしまうという問題がある。
【００１２】
本発明は上記事情に鑑みてなされたものであり、空調機の制御に関する様々な設定項目を識別する項目番号に関し、空調用室内機で管理する数値データの桁数よりも、接続されたリモートコントロール装置で管理する数値データの桁数の方が少ない場合にも、リモートコントロール装置から送信された項目番号に関する情報を適切に処理することが可能な空調用室内機および空調用室内機のデータ処理方法を提供することを目的とする。
【課題を解決するための手段】
【００１３】
上記目的を達成するための実施形態によれば空調用室内機は、記憶部とデータ処理部とを有する。記憶部は、項目番号ごとの現在の設定内容を示す現在設定データと、リモートコントロール装置で項目番号として入力された数値データの桁数を拡張して認識するための拡張用データとを有する。データ処理部は、リモートコントロール装置から、項目番号として入力された、拡張用データと同一のデータを取得したときには、当該拡張用データに関連して入力される設定データを、その後項目番号として入力されるデータに組み合わせて項目番号として認識する。
【図面の簡単な説明】
【００１４】
【図１】本発明の一実施形態による空調用室内機を用いた空調システムを示す全体図である。
【図２】本発明の一実施形態による空調用室内機およびこれに接続されたリモートコントロール装置の構成を示すブロック図である。
【図３】本発明の一実施形態による空調用室内機に接続されたリモートコントロール装置の外観図の一例である。
【図４】本発明の一実施形態による空調用室内機に記憶された情報の一例を示す表ある。
【図５】本発明の一実施形態による空調用室内機を用いた空調システムの動作を示すシーケンス図である。
【図６】本発明の一実施形態による空調用室内機に接続されたリモートコントロール装置の表示と空調用室内機に記憶されたデータとの関係を示す説明図である。
【図７】本発明の一実施形態による空調用室内機に接続されたリモートコントロール装置の表示と空調用室内機に記憶されたデータとの関係を示す説明図である。
【図８】本発明の一実施形態による空調用室内機に接続されたリモートコントロール装置の表示と空調用室内機に記憶されたデータとの関係を示す説明図である。
【図９】本発明の一実施形態による空調用室内機に接続された別のリモートコントロール装置の表示と空調用室内機に記憶されたデータとの関係を示す説明図である。
【発明を実施するための形態】
【００１５】
本発明の実施形態による空調用室内機は建物の室内天井等に設置されており、当該空調用室内機の運転に関する設定値（例えば設定温度や設定風量など）をユーザが調整するためのリモートコントロール装置が接続されている。リモートコントロール装置は、建物に壁等に予め備え付けられている。
【００１６】
建物の建築当初に設置された空調用室内機およびリモートコントロール装置は、当該空調用室内機の制御に関する様々な設定項目を識別する項目番号を、２桁の数値データで管理する機器であった。その後、空調用室内機のみが新たなものに入れ替えられ、空調用室内機では項目番号が４桁の数値データで管理される一方、リモートコントロール装置では項目番号が２桁の数値データで管理される状態となっている。
【００１７】
〈一実施形態による空調用室内機を利用した空調システムの構成〉
本発明の一実施形態として、空調用室内機を利用した空調システムの構成について、図１および図２を参照して説明する。
【００１８】
本実施形態による空調システム１は、図１に示すように、空調対象の室内の天井等に設置された空調用室内機１０と、この空調用室内機１０に双方向通信可能な状態で有線にて接続されたリモートコントロール装置２０とを備える。空調用室内機１０およびリモートコントロール装置２０の詳細な構成を、図２のブロック図に示す。
【００１９】
空調用室内機１０は、当該空調用室内機１０の制御に関する様々な設定項目を識別する項目番号を４桁の数値データで管理する機器であり、データ記憶部１１と、室内機通信部１２と、データ処理部１３と、運転制御部１４とを有する。
【００２０】
データ記憶部１１は、空調用室内機１０の制御に関する複数の設定項目を識別するための数値データであり、上位２桁の数値データおよび下位２桁の数値データからなる４桁の数値データで示される項目番号と、各設定項目における複数の設定内容を識別するための数値データで示される複数の識別用設定データと、項目番号ごとに、複数の識別用設定データの中から、現在の設定内容を示すものとして選択されている現在設定データとを予め記憶する。また、項目番号の上位桁の数値データと同一の桁数（２桁）の所定の数値データで示され、リモートコントロール装置２０で項目番号として入力された数値データの桁数を拡張して認識する処理に用いる拡張用データを予め記憶する。
【００２１】
室内機通信部１２は、リモートコントロール装置２０との通信を行う。
【００２２】
データ処理部１３は、リモートコントロール装置２０で項目番号として入力された数値データを取得すると、当該数値データが拡張用データと同一であるときには、リモートコントロール装置２０で当該項目番号に関連する設定データとして入力されたことにより取得した２桁の数値データを保持する。その後、さらにリモートコントロール装置２０で項目番号として入力された数値データを取得すると、当該取得した数値データに、保持した数値データを組み合わせることで桁数を拡張した複数の数値データを項目番号として認識する。また、リモートコントロール装置２０からの要求に基づいて、認識した項目番号に対応する現在設定データを取得または変更する。
【００２３】
運転制御部１４は、各項目番号に対応する設定項目について、データ記憶部１１に記憶された現在設定データに対応する設定内容で自空調用室内機１０の運転を制御する。
【００２４】
リモートコントロール装置２０は、当該空調用室内機１０の制御に関する様々な設定項目を識別する項目番号を２桁の数値データで管理する装置であり、入力部２１と、コマンド生成部２２と、リモコン通信部２３と、表示部２４とを有する。図３は、室内の壁面に設置されたリモートコントロール装置２０の外観を示す図である。
【００２５】
入力部２１は、空調用室内機１０のユーザや管理者により操作される各種ボタンで構成され、空調用室内機１０の動作や制御に関する操作内容を入力する。この各種ボタンは、例えば左矢印ボタン２１１、右矢印ボタン２１２、上矢印ボタン２１３、下矢印ボタン２１４、および確定ボタン２１５等である。
【００２６】
図２のコマンド生成部２２は、入力部２１から入力された各種ボタンの操作内容に基づいて、空調用室内機１０に対する要求を送信するためのコマンドデータを生成する。具体的には、図３の項目番号表示エリア２４１が選択されている状態で確定ボタン２１５が操作されると、当該項目番号表示エリア２４１に表示されている２桁の数値データを含むデータ取得要求コマンドを生成し、また、設定データ表示エリア２４２が選択されている状態で確定ボタン２１５が操作されると、当該設定データ表示エリア２４２に表示されている数値データを含むデータ変更取得要求コマンドを生成する。
【００２７】
リモコン通信部２３は、空調用室内機１０との通信を行う。
【００２８】
表示部２４は、液晶などの表示画面で構成され、空調用室内機１０の動作内容や制御内容に関する現在の設定内容や操作中の内容を表示するものであり、一般ユーザにより利用される通常運転モードと、管理者によりシステム内の詳細設定内容の確認または変更のために利用される設定データ管理モードとにより表示内容が切り替えられる。例えば、通常運転モードにおいては図１に示すように、現在の設定温度等が表示される。また、設定データ管理モードにおいては図３に示すように、項目番号表示エリア２４１と設定データ表示エリア２４２とが表示される。本実施形態においては、項目番号が２桁しか表示できない古いリモートコントロール装置であるため、項目番号表示エリア２４１には２桁の数値データが表示可能であり、設定データ表示エリア２４２には４桁の数値データが表示可能である。なお、新しいリモートコントロール装置の場合は、図９に示すように項目番号表示エリア２４１及び設定データ表示エリア２４２とも４桁の数値データが表示可能となっている。
【００２９】
〈一実施形態による空調用室内機を利用した空調システムの動作〉
次に、本実施形態による空調システム１の動作について説明する。本実施形態において、空調用室内機１０のデータ記憶部１１に予め記憶されるデータについて説明する。
【００３０】
データ記憶部１１には、空調用室内機１０の制御に関する複数の設定項目を識別するための数値データであり、上位２桁の数値データおよび下位２桁の数値データからなる４桁の数値データで示される項目番号と、各設定項目における複数の設定内容を識別するための数値データで示される複数の識別用設定データと、項目番号ごとに、複数の識別用設定データの中から、現在の設定内容を示すものとして選択されている現在設定データとが予め記憶されている。
【００３１】
ここで項目番号は、上位２桁は００〜ＦＦの値を取り、下位２桁は後述する「拡張用データ」として用いる２桁の数値データ「００」以外の数値データで構成され、１６進数で示される。また識別用設定データおよび現在設定データは、４桁の数値データで示される。
【００３２】
これらのデータの一例を、図４（ａ）の表に示す。図４（ａ）では、空調用室内機１０の制御に関する設定項目「室内ファンの強風量」を識別するための項目番号が「８０２Ａ」であることが示されている。設定項目「室内ファンの強風量」とは、ユーザがリモートコントロール装置２０を操作して「強風量」を指定したときに、これに対応して空調用室内機１０内に装備された室内ファンの運転を制御するときの回転数を設定する項目である。
【００３３】
この設定項目「室内ファンの強風量」に関し、室内ファンの回転数の設定値「７８０rpm」を識別する識別用設定データが「０００１」であり、設定値「８５０rpm」を識別する識別用設定データが「０００２」であり、設定値「９８０rpm」を識別する識別用設定データが「０００３」であることが示されている。そして、これらの複数の識別用設定データの中から、現在設定データとして設定値「０００２」（８５０rpm）が選択されていることが示されている。
【００３４】
また図４（ａ）では、空調用室内機１０の制御に関する設定項目「設定温度補正」を識別するための項目番号が「８０２Ｂ」であることが示されている。設定項目「設定温度補正」とは、上述したユーザがリモートコントロール装置２０を操作して設定した室温を、補正する補正値を設定する項目である。
【００３５】
この設定項目「設定温度補正」に関し、設定する温度補正値「±０℃」を識別する識別用設定データが「０００１」であり、設定する温度補正値「＋０．５℃」を識別する識別用設定データが「０００２」であり、設定する温度補正値「１℃」を識別する識別用設定データが「０００３」であることが示されている。そして、これらの複数の識別用設定データの中から、現在設定データとして温度補正値「０００３」（＋１℃）が選択されていることが示されている。空調用室内機１０では、機器に設けられた室温センサが室温を検出しているが、例えば、建物構造によって天井が高く、空調用室内機１０が、標準的な設置高さよりも高い位置に据付けられている場合、室内の居住者が存在する床面近くの室温よりも室温センサは、その高さ分だけ高め（暖かめ）の温度を検出する。そこで、居住者近くの室温を設定温度に近づけるため、設定温度を高めに補正する必要がある。
【００３６】
このように各種項目番号に対応して記憶された現在設定データに基づいて、運転制御部１４において空調用室内機１０内の運転が制御される。
【００３７】
データ記憶部１１には、項目番号の上位桁の数値データと同一の桁数（２桁）の所定の数値データで示される、数値データの桁数を拡張して認識する処理に用いる拡張用データが予め記憶されている。拡張用データは、４桁の項目番号の下位桁として利用されていない数値データが設定され、本実施形態においては図４（ｂ）に示すように、２桁の数値データ「００」が記憶されている。
【００３８】
これらのデータが空調用室内機１０のデータ記憶部１１に記憶されている状態で、リモートコントロール装置２０から空調用室内機１０に対し、システム内の詳細設定内容を確認、変更する処理を行う場合の動作について、図５のシーケンス図を参照して説明する。ここでは一例として、設定項目「室内ファンの強風量」（項目番号「８０２Ａ」）について現在選択されている設定値「８５０rpm」（現在設定データ「０００２」）を、新たな設定値「９８０rpm」（現在設定データ「０００３」）に変更する場合について説明する。
【００３９】
まず、リモートコントロール装置２０で一般ユーザが利用する通常運転モードによる運転処理が行われている状態で（Ｓ１）、入力部２１において予め定められている特殊な操作により設定データ管理モードを指定する操作が行われると、表示部２４が、一般ユーザが利用する通常運転モードの表示内容から、管理者によりシステム内の詳細設定内容の確認または変更のために利用される設定データ管理モードの表示内容に切り替えられる（Ｓ２の「YES」）。なお、ステップＳ２で「ＮＯ」の場合にはステップＳ１の通常運転モードによる運転操作処理に移行し、以後、Ｓ１とＳ２とを繰返す。
【００４０】
ここで、管理者が左矢印ボタン２１１を操作することにより項目番号表示エリア２４１が選択された状態になり、さらにこの状態で上矢印ボタン２１３または下矢印ボタン２１４を操作することにより、項目番号表示エリア２４１の表示数値が増加または減少更新される。
【００４１】
このとき項目番号表示エリア２４１には２桁の数値データしか表示できないが、空調用室内機１０は４桁の項目番号に対応して動作しているため、４桁の数値データで該当する項目番号（ここでは「８０２Ａ」）を指定する必要がある。
【００４２】
そこでまず、項目番号表示エリア２４１に拡張用データとして認識している数値データ「００」を表示させた状態で管理者が確定ボタン２１５を操作することで、当該数値データ「００」を含む第１データ取得要求コマンドがコマンド生成部２２で生成され、リモコン通信部２３を介して空調用室内機１０に送信される（Ｓ３）。
【００４３】
空調用室内機１０では、リモートコントロール装置２０から送信された第１データ取得要求コマンドが室内機通信部１２で受信される。そして、データ処理部１３においてデータ記憶部１１に記憶されているデータと照合され、受信した第１データ取得要求コマンドに含まれる数値データが「００」であることから、送られてきたデータが拡張用データであることが認識される。
【００４４】
拡張用データが受信されたことが認識されると、その応答として、直近で設定変更・操作のあった項目番号の上位２桁の数値データ、例えば「２０」が空調用室内機１０から送信される。その後、データ処理部１３では当該要求に応答するデータ取得処理は行われず、項目番号として取得する数値データの待ち状態となる（Ｓ４）。なお、ここで、直近の設定変更・操作のあった項目番号の上位２桁の値を表示させているのは、設定間違い等が発生し、同じ項目番号の設定内容を再度設定し直すことが多いことから、できるだけ操作を簡単にするためである。
【００４５】
一方、リモートコントロール装置２０は空調用室内機１０から数値データ「２０」を受信し、設定データ表示エリア２４２に表示可能な４桁の数値データのうち、右２桁（下位２桁）を利用して「００２０」と表示させる（Ｓ５）。ここで、表示された上位２桁の「００」は、特に意味がないので、空欄としても良い。この状態で上矢印ボタン２１３または下矢印ボタン２１４を操作することにより、設定データ表示エリア２４２の表示が更新される。ここで、管理者は下２桁が所望の項目番号「８０２Ａ」の上位２桁の数値データ「８０」になるように上矢印ボタン２１３または下矢印ボタン２１４を操作して設定データ表示エリア２４２の表示を決定し、確定ボタン２１５を押す。
【００４６】
なお空調用室内機１０では、ステップＳ３において受信した数値データが拡張データでなければ、該当する数値データが項目番号として認識され、処理される。すなわち、第１データ取得要求コマンドに含まれる数値データが「００」でない２桁の数値の場合は、送られてきたデータが拡張用データではなく、かつ、２桁しかないので、データ処理部１３は、上位の２桁を「００」とし、下位の２桁を送られてきた数値データとを組み合わせた４桁の数値データを項目番号として処理する。
【００４７】
一方、最初から４桁の項目番号が一括して指定できる新しいリモートコントロール装置２０が接続されている場合、図９に示すように第１データ取得要求コマンドに含まれる４桁の数値データそのものが項目番号となる。すなわち、この場合には、データ処理部１３は、前記要求コマンドに含まれる情報から、リモートコントロール装置２０で項目番号として管理している数値データの桁数（４桁）と、自空調用室内機１０で項目番号として管理している数値データの桁数（４桁）が同じであると判定し、その場合は、前記リモートコントロール装置で項目番号として入力された数値データを項目番号として認識し処理する。
【００４８】
以下、引き続き、ステップＳ３以降で拡張用データを用いて管理者が項目番号として「８０２Ａ」を、設定データとして「０００３」を指定する場合を例にとって説明する。空調用室内機１０のデータ処理部１３が項目番号として取得する数値データの待ち状態となった（Ｓ４）後に、管理者によって設定データの変更処理が実行されるときの、リモートコントロール装置２０の表示部２４の表示と空調用室内機１０のデータ記憶部１１内のデータとの対応状態を、図６〜９に示す。
【００４９】
まず、図示していないが、ステップＳ５時点では、上述したようにリモートコントロール装置２０の項目番号表示エリア２４１には「００」がそのまま表示され、設定データ表示エリア２４２は、空調用室内機１０から受信した数値データを含む「００２Ａ」が表示されている。
【００５０】
ここで、管理者が右矢印ボタン２１２を操作することにより設定データ表示エリア２４２が選択された状態になり、さらにこの状態で上矢印ボタン２１３または下矢印ボタン２１４を操作することにより、設定データ表示エリア２４２の表示が更新される。
【００５１】
ここで、管理者は、設定データ表示エリア２４２内に表示可能な４桁の数値データのうち、右２桁（下位２桁）を利用して、入力対象の項目番号「８０２Ａ」の上位２桁の数値データ「８０」を表示させる。設定データ表示エリア２４２全体としては、数値データ「００８０」のように表示される。すなわち、「００２Ａ」の表示から「００８０」へと変更する。
【００５２】
このように数値データ「００８０」を設定データ表示エリア２４２に表示させた状態で管理者が確定ボタン２１５を操作することで、当該数値データ「００８０」を含む第１データ変更要求コマンドがコマンド生成部２２で生成され、リモコン通信部２３を介して空調用室内機１０に送信される（Ｓ６）。
【００５３】
空調用室内機１０では、リモートコントロール装置２０から送信された第１データ変更要求コマンドが室内機通信部１２から受信される。そして、データ処理部１３により、受信された第１データ変更要求コマンドに含まれる数値データの下位２桁「８０」が、項目番号の上位２桁の数値データとして認識される（図６参照）。
【００５４】
項目番号の上位２桁として認識された数値データ「８０」は、データ記憶部１１に保持される（Ｓ７：図４（ｂ）の「保持している上桁数の項目番号として書き込まれる）。ここでは、ステップＳ４において「項目番号として取得する数値データの待ち状態」となっていることから、当該要求に対応するデータ変更処理は行われない。
【００５５】
次に、管理者が左矢印ボタン２１１を操作することにより項目番号表示エリア２４１が選択された状態になり、さらにこの状態で上矢印ボタン２１３または下矢印ボタン２１４を操作することにより、項目番号表示エリア２４１の表示が更新される。
【００５６】
ここで、管理者は、入力対象の項目番号「８０２Ａ」の下位２桁の数値データ「２Ａ」を表示させる。このように数値データ「２Ａ」を項目番号表示エリア２４１に表示させた状態で管理者が確定ボタン２１５を操作することで、当該数値データ「２Ａ」を含む第２データ取得要求コマンドがコマンド生成部２２で生成され、リモコン通信部２３を介して空調用室内機１０に送信される（Ｓ８）。
【００５７】
空調用室内機１０では、リモートコントロール装置２０から送信された第２データ取得要求コマンドが室内機通信部１２から受信される。そして、データ処理部１３により、受信された第２データ取得要求コマンドに含まれる数値データ「２Ａ」が、項目番号の下位２桁の数値データとして認識される（図７参照）。
【００５８】
続いて、データ処理部１３により、項目番号の下位２桁の数値データとして認識された「２Ａ」に、ステップＳ５で保持された項目番号の上位２桁の数値データ「８０」が組み合わせられることで桁数が拡張された数値データ「８０２Ａ」が項目番号として認識される（Ｓ９）。
【００５９】
さらにデータ処理部１３により、第２データ取得要求コマンドに応答するため、認識された項目番号「８０２Ａ」に関して記憶されている現在設定データ「０００２」がデータ記憶部１１から取得され、室内機通信部１２を介してリモートコントロール装置２０に送信される（Ｓ１０）。
【００６０】
リモートコントロール装置２０では、送信された現在設定データ「０００２」がリモコン通信部２３を介して受信され、表示部２４の設定データ表示エリア２４２に表示される（Ｓ１１：図８参照）。
【００６１】
このように設定データ表示エリア２４２に現在設定データ「０００２」が表示された状態で、管理者が下矢印ボタン２１４を１回操作することにより、設定データ表示エリア２４２の表示が、現在設定データとして表示された数値データ「０００２」から、数値データ「０００３」に更新され、変更される（Ｓ１２の「YES」）。
【００６２】
設定データ表示エリア２４２に数値データ「０００３」が表示された状態で管理者が確定ボタン２１５を操作することで、当該数値データ「０００３」を含む第２データ変更要求コマンドがコマンド生成部２２で生成され、リモコン通信部２３を介して空調用室内機１０に送信される（Ｓ１３）。
【００６３】
空調用室内機１０では、リモートコントロール装置２０から送信された第２データ変更要求コマンドが空調用室内機１０から受信される（Ｓ１４）。そして、データ処理部１３により、受信された第２データ変更要求コマンドに含まれる数値データ「０００３」で、データ記憶部１１に記憶されている当該項目番号「８０２Ａ」に対応する現在設定データが「０００３」に変更される（Ｓ１５）。なお、４桁の項目番号が表示可能な新しいリモートコントロール装置を用いている場合には、図９に示すように項目番号として４桁の「８０２Ａ」がフルに表示されるが、リモートコントロール装置２０では、項目番号は図８に示す表示のままで下２桁の「２Ａ」のみの表示となる。
【００６４】
項目番号「８０２Ａ」に対応する現在設定データが「０００３」に変更されると、運転制御部１４では、以後、リモートコントロール装置２０により、室内ファンの風量が強風に設定された場合には、当該項目番号「８０２Ａ」に対応する設定項目「室内ファンの強風量」の設定内容である室内ファンの回転数を「９８０rpm」として運転するように制御される（Ｓ１６）。
【００６５】
なお、リモートコントロール装置２０は、ステップＳ１３終了後、次の入力待ちＳ１へ移行し、空調用室内機１０は、ステップＳ１６終了後、次の入力待ちＳ３へと移行する。
【００６６】
上記実施形態において空調用室内機１０のデータ処理部１３では、取得した要求コマンドに基づいてステップＳ７で認識した項目番号について、対応する情報（設定項目、設定内容等）がデータ記憶部１１に予め記憶されていないときは、当該要求コマンドを無効として処理する。
【００６７】
以上の本実施形態による空調用室内機によれば、空調用室内機では項目番号が４桁の数値データで管理される一方、リモートコントロール装置では項目番号が２桁の数値データで管理される状態となっている場合にも、リモートコントロール装置から送信された項目番号に関する情報を適切に処理し４桁の項目番号を認識することができる。
【００６８】
また上述した空調用室内機１０は、当然ながら項目番号が４桁の数値データで管理され表示される新しいリモートコントロール装置２０にも対応可能となっている。
【００６９】
すなわち、新しいリモートコントロール装置２０では、コマンド生成部２２は、データ取得要求コマンドやデータ変更要求コマンドを生成する際に、４桁の数値データしか選択及び送信できないようになっている。
【００７０】
その場合、空調用室内機１０のデータ処理部１３では、リモートコントロール装置２０から項目番号として４桁の数値データが送られてくるので、当該データ取得要求コマンドに含まれる４桁の数値データをそのまま項目番号として認識して当該データ取得要求コマンドに応答し、当該項目番号に関して記憶されている現在設定データを取得してリモートコントロール装置２０に送信する。すなわち、図５のＳ３、Ｓ４部分において、リモートコントロール装置２０から４桁の数値データが項目番号として送られてきた場合には、空調用室内機１０のデータ処理部１３は、そのままＳ１０のステップに移行してＳ１１以後の処理が行なわれる。
【００７１】
この結果、空調用室内機は、項目番号が２桁の数値データで管理されるリモートコントロール装置および項目番号が４桁の数値データで管理され表示される新しいリモートコントロール装置のいずれが接続されても対応することができる。
【００７２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７３】
１０…空調用室内機
１１…データ記憶部
１２…室内機通信部
１３…データ処理部
１４…運転制御部
２０…リモートコントロール装置
２１…入力部
２２…コマンド生成部
２３…リモコン通信部
２４…表示部
２１１…左矢印ボタン
２１２…右矢印ボタン
２１３…上矢印ボタン
２１４…下矢印ボタン
２１５…確定ボタン
２４１…項目番号表示エリア
２４２…設定データ表示エリア
【図１】
2014145523.tif 000003
【図２】
2014145523.tif 000004
【図３】
2014145523.tif 000005
【図４】
2014145523.tif 000006
【図５】
2014145523.tif 000007
【図６】
2014145523.tif 000008
【図７】
2014145523.tif 000009
【図８】
2014145523.tif 000010
【図９】
2014145523.tif 000011